(57)【要約】【課題】複数のハンドピース間に漏電が生じることなく、かつ誤選択等の問題を生じることのない手術システムを提供する。【解決手段】フットスイッチ１ａ、１ｂと、ハンドピース２ａ、２ｂとを複数備えた構造を有する。フットスイッチ１は、無線交信を行う送受信部６と、交信対象たるハンドピース２のＩＤを記憶するハンドピースＩＤ記憶部８と、自己ＩＤ記憶部９とを備える。ハンドピース２は、処置部材１２と、フットスイッチ１との無線交信を行う送受信部１５と、交信対象であるフットスイッチ１のＩＤを記憶するフットスイッチＩＤ記憶部１７と、自己のＩＤを記憶する自己ＩＤ記憶部１８と、処置部材１２以外を内包するケース部材１９を有する。かかる構造により、接続用のワイヤが使用の妨げとなることはなく、かつ滅菌による損傷および漏電の防止が可能である。【選択図】        図１
2005287684.tif 000002
【特許請求の範囲】
【請求項１】
携帯型処置装置と、該携帯型処置装置に対して遠隔操作を行う遠隔操作装置とを備えた手術システムにおいて、
前記携帯型処置装置は、
前記遠隔操作装置との間で無線交信を行う処置装置側交信手段と、
該処置装置側交信手段を介して前記遠隔操作装置によって出力エネルギーが決定される駆動手段と、
該駆動回路からの出力エネルギーにより動作する処置部材と、
前記処置装置側交信手段および前記駆動手段に電気エネルギーを供給する電源手段と、
少なくとも使用時に前記交信手段、前記駆動手段および前記電源手段を内包し、前記処置部材を除く外部と電気的に絶縁するケース部材とを備え、
前記遠隔操作装置は、
前記携帯型処置装置の動作内容を入力する入力手段と、
前記携帯型処置装置との間で無線交信を行う操作装置側交信手段と、
を備えたことを特徴とする手術システム。
【請求項２】
それぞれ異なる識別符号を付した前記携帯型処置装置を複数有し、
前記操作装置側交信手段は、複数の前記携帯型処置装置のうち、選択したものに対応する識別符号に関する情報を含む無線信号を送信し、
前記駆動手段は、前記処置装置側交信手段が前記操作手段側からの無線信号のうち自己の識別符号に関する情報を含む無線信号を受信した場合にのみ動作することを特徴とする請求項１に記載の手術システム。
【請求項３】
それぞれ異なる識別符号を付した前記携帯型処置装置および前記遠隔操作装置を複数有し、
前記操作装置側交信手段は、自己の識別符号および選択する前記携帯型処置装置の識別符号に関する情報を含む無線信号を発信し、
前記駆動手段は、前記遠隔操作装置から発信された無線信号に自己の識別符号およびあらかじめ定められた前記遠隔操作装置の識別符号が含まれている場合に所定のエネルギーを前記処置部材に供給することを特徴とする請求項１または２に記載の手術システム。
【請求項４】
前記携帯型処置装置は、前記処置装置側交信手段をオン状態に維持し、前記駆動手段をオフ状態に維持するスタンバイモードと、前記処置装置側交信手段および前記駆動手段をオン状態に維持するレディモードとを有し、所定の前記遠隔操作装置から自己および前記所定の遠隔操作装置の識別符号および自己を選択する旨の情報を含む選択信号を受信した際に前記スタンバイモードから前記レディモードに移行することを特徴とする請求項３に記載の手術システム。
【請求項５】
前記駆動手段は、前記操作装置側交信手段から発信される出力信号を受信している間のみ動作し、該出力信号の受信の終了と共に動作を終了することを特徴とする請求項１〜４のいずれか一つに記載の手術システム。
【請求項６】
複数の前記携帯型処置装置をそれぞれ保持する複数の保持部と、
該保持部近傍に配置され、前記保持部に保持された前記携帯型処置装置の識別符号を検知する符号検知部と、
前記符号検知部が検知不能な識別符号を含む情報を前記遠隔操作装置側に送信する送信部と、
を有する保持装置をさらに備えたことを特徴とする請求項１〜５のいずれか一つに記載の手術システム。
【請求項７】
前記遠隔操作装置は、前記保持装置からの情報を受信し、該情報に基づいて選択可能な前記携帯型処理装置を認識することを特徴とする請求項６に記載の手術システム。
【請求項８】
前記電源手段は、異なる前記携帯型処置装置における使用が可能であると共に異なる前記携帯型処置装置に対して着脱可能な構造を有し、
前記遠隔操作装置は、前記駆動手段が接続された前記携帯型処置装置のみを選択可能であることを特徴とする請求項１〜７のいずれか一つに記載の手術システム。
【請求項９】
前記遠隔操作装置は、複数の前記入力手段を備え、
該複数の入力手段と、前記携帯型処置装置における動作との対応関係を前記遠隔操作装置側で決定することを特徴とする請求項１〜８のいずれか一つに記載の手術システム。
【請求項１０】
複数の前記携帯型処置装置の動作と複数の前記入力手段との対応関係は、異なる前記携帯型処置装置の動作のうち、共通性を有する動作に関して同一の前記入力手段で選択可能となるよう決定されることを特徴とする請求項１〜９のいずれか一つに記載の手術システム。
【発明の詳細な説明】
【技術分野】
【０００１】
この発明は、携帯型処置装置と、該携帯型処置装置に対して遠隔操作を行う遠隔操作装置とを備えた手術システムに関するものであって、特に、複数のハンドピースおよび／または複数のフットスイッチを用いた場合であっても複数のハンドピース間に漏電が生じることなく、かつ誤選択等の問題を生じることのない手術システムに関するものである。
【背景技術】
【０００２】
従来、例えば超音波振動を利用することで処置具を振動させて生体組織を切削または凝固する超音波切削装置、超音波凝固装置や、高周波電力による熱作用で生体組織の焼灼を行う電気メス装置、不要な生体組織を粉砕して吸引する超音波吸引装置などの手術装置が知られている。これらの手術装置は、それぞれ患部の処置に関する機能を有することから、実際の外科手術等に使用される場合には、複数のものを使い分けて使用されることが一般的である。
【０００３】
図１０−１は、従来の手術装置の構造の一例について示す図である。図１０−１に示すように、従来の手術装置は、患部の処置に用いられる処置具を備えたハンドピース１０１と、ハンドピース１０１とワイヤ１０２を介して接続され、ハンドピース１０１に電流等の駆動エネルギーを供給する本体装置１０３と、本体装置とワイヤ１０４を介して接続され、本体装置を制御するフットスイッチ１０５とを備えた構造を有する。図１０−１に示す構成の手術装置を用いて、使用者はハンドピース１０１を患部に対して固定し、固定後にフットスイッチ１０５が備える入力ペダル１０６、１０７のうち適切なペダルを選択することによって本体装置１０３から所定の駆動エネルギーが供給され、ハンドピース１０１を動作させる構造を有する。
【０００４】
実際の外科手術等では、ハンドピース１０１を患部に固定する際に片手または両手を用いることがあるため、ハンドピース１０１側に動作用のスイッチを設けることが好ましくないこともある。従って、従来の手術装置では、動作用のスイッチ手段としてフットスイッチ１０５を備えた構成とし、使用者が入力ペダル１０５、１０６を選択することとしている。かかる構成とすることで、両手を用いてハンドピース１０１を患部に対して適切に固定した状態を維持したまま、機能の選択を行って所望の処置を行うことが可能である（例えば、特許文献１参照。）。
【０００５】
なお、実際の手術においては複数の手術装置を使い分けて必要な処置を行うことに鑑みて、図１０−１に示す手術装置を応用して単一の本体装置に複数のハンドピースが接続可能な手術装置が提案されている。図１０−２は、かかる構造の手術装置について示すもので、本体装置１０９に対して複数のハンドピース１０８ａ、１０８ｂ、１０８ｃが接続された構造を示している（例えば、特許文献２参照。）。
【０００６】
また、大規模な手術においては複数の使用者が同時に処置を行う必要がある。このため、処置を行う使用者の人数分のフットスイッチと、人数分のフットスイッチを接続した本体装置とを備え、本体装置に対して使用するハンドピースが接続された構成の手術装置も提案されている。
【０００７】
【特許文献１】特開平１１−３１８９１９号公報（第３頁、第１図）
【特許文献２】特開２０００−２７１１３５号公報（第６−７頁、第５図）
【発明の開示】
【発明が解決しようとする課題】
【０００８】
しかしながら、複数のハンドピースおよび／または複数のフットスイッチを備えた手術システムには様々な問題点が存在する。まず、特に処置具が伝導部材によって形成された電気メス等のハンドピースを同時に複数用いる場合を想定すると、本体装置の大型化という問題が生じる。
【０００９】
図１１は、複数のハンドピース１０８ａ、１０８ｂを別個の本体装置に接続した状態で使用した場合を模式的に示す図である。通常の本体装置は家庭用電源から電気エネルギーを得る構成を有し、本体装置はコンセントを家庭用電源に接続した状態で使用される。このため、複数の、例えば処置具に導電性部材を有する電気メス等のハンドピース１０８ａ、１０８ｂを使用した場合、図１１に示すような電気的ループ１１１が形成されてしまう。電気的ループ１１１が形成された際にはハンドピース１０８ａ、１０８ｂ間に電流が流れることとなり、患者の身体のうち、ハンドピース間に位置する領域を損傷させるおそれがある。
【００１０】
例えば、バイポーラ電極を備えたハンドピースは、同一ハンドピースにおける電極間に高周波電流を流すことによって所定の処置を行うが、複数のハンドピースを同時に使用することでかかる高周波電流が異なるハンドピース間に流れることとなり、患部以外の人体組織に対して損傷を与え、危険である。
【００１１】
従って、従来の手術装置では、電気的ループ１１１が形成されぬよう本体装置内部にトランス回路等を設け、ハンドピースとコンセントとの間を直接的に導通させない構成としている。さらに、実際には二重、三重の安全装置機構を設ける場合もあり、製造コスト上大きな問題となっていた。
【００１２】
また、複数のハンドピースおよび／または複数のフットスイッチを同時に使用する場合、本体装置と接続するために必要なワイヤの本数の増加が他の問題として挙げられる。すなわち、従来の手術装置では、フットスイッチ、ハンドピースと本体装置との間はワイヤで接続された構造を有することから、フットスイッチおよびハンドピースの数だけ接続用のワイヤが必要となる。従って、多種類の処置や、多数の使用者が必要となる手術の場合には、手術室内に多数のワイヤが張り巡らされた状態となり、使用者の移動が制限されると共に、医療器具の搬入にも支障を来すこととなる。
【００１３】
さらに、ハンドピースがワイヤに接続される構成の手術装置の場合、滅菌の際にハンドピースが損傷するおそれがある。ハンドピースとワイヤとの間は電気的に接続されることから、ハンドピース側の接続部は金属等の導電性部材によって構成される一方、ハンドピースは外科的処置に直接用いられることから衛生上の観点から使用ごとに滅菌処理を行う必要がある。従って、ハンドピースからワイヤを外して滅菌処理を行った場合には、接続部が直接滅菌雰囲気にさらされることとなり、導電性部材の錆、腐食等が問題となる。ハンドピース側において開閉可能な蓋構造等を、接続部を覆うように設けることで接続部を滅菌雰囲気からある程度遮蔽することは可能であるが、完全に遮蔽する構造は現実には容易ではなく、製造上の負担が増大する等の問題を有する。
【００１４】
また、複数のハンドピースを使用する場合、ハンドピースの誤選択を防ぐ必要がある。すなわちフットスイッチのペダルを踏んだ際に、使用を想定したハンドピースと異なるハンドピースが動作することを避ける必要がある。これは、単一のフットスイッチに対して複数のハンドピースを使用する場合のみならず、複数のフットスイッチと複数のハンドピースを使用する場合に特に問題となる。すなわち、第１の使用者が第１のフットスイッチの制御により第１のハンドピースを動作させ、第２の使用者が第２のフットスイッチの制御により第２のハンドピースを動作させているときに、突如第２の使用者の第２のフットスイッチによって第１のハンドピースが動作することは、操作の安全確保のために、絶対に避ける必要がある。
【００１５】
この発明は、上記従来技術の問題点に鑑みてなされたものであって、複数のハンドピースおよび／または複数のフットスイッチを用いた場合であっても複数のハンドピース間に漏電が生じることなく、かつ誤選択等の問題を生じることのない手術システムを提供することを目的とする。
【課題を解決するための手段】
【００１６】
上記目的を達成するため、請求項１にかかる手術システムは、携帯型処置装置と、該携帯型処置装置に対して遠隔操作を行う遠隔操作装置とを備えた手術システムにおいて、前記携帯型処置装置は、前記遠隔操作装置との間で無線交信を行う処置装置側交信手段と、該処置装置側交信手段を介して前記遠隔操作装置によって出力エネルギーが決定される駆動手段と、該駆動回路からの出力エネルギーにより動作する処置部材と、前記処置装置側交信手段および前記駆動手段に電気エネルギーを供給する電源手段と、少なくとも使用時に前記交信手段、前記駆動手段および前記電源手段を内包し、前記処置部材を除く外部と電気的に絶縁するケース部材とを備え、前記遠隔操作装置は、前記携帯型処置装置の動作内容を入力する入力手段と、前記携帯型処置装置との間で無線交信を行う操作装置側交信手段とを備えたことを特徴とする。
【００１７】
この請求項１の発明によれば、携帯型処置装置と遠隔操作装置との間で無線交信を行うこととしたため、信号伝送用のワイヤ等が不要となると共に、滅菌の際に損傷する接続部を省略した構造とすることができる。また、ハンドピースが処置部材以外についてケース部材によって外部と電気的に絶縁されることとしたため、同時に複数のハンドピースを使用した場合であっても、電気的ループの形成による高周波電流または低周波電流の漏電の発生を防止することができる。
【００１８】
また、請求項２にかかる手術システムは、上記の発明において、それぞれ異なる識別符号を付した前記携帯型処置装置を複数有し、前記操作装置側交信手段は、複数の前記携帯型処置装置のうち、選択したものに対応する識別符号に関する情報を含む無線信号を送信し、前記駆動手段は、前記操作手段側からの無線信号のうち自己の識別符号に関する情報を含む無線信号を前記処置装置側交信手段が受信した場合にのみ動作することを特徴とする。
【００１９】
また、請求項３にかかる手術システムは、上記の発明において、それぞれ識別符号を付した前記携帯型処置装置および前記遠隔操作装置を複数有し、前記操作装置側交信手段は、自己の識別符号および選択する前記携帯型処置装置の識別符号に関する情報を含む無線信号を発信し、前記駆動手段は、前記遠隔操作装置から発信された無線信号に自己の識別符号およびあらかじめ定められた前記遠隔操作装置の識別符号が含まれている場合に所定のエネルギーを前記処置部材に供給することを特徴とする。
【００２０】
また、請求項４にかかる手術システムは、上記の発明において、前記携帯型処置装置は、前記処置装置側交信手段をオン状態に維持し、前記駆動手段をオフ状態に維持するスタンバイモードと、前記処置装置側交信手段および前記駆動手段をオン状態に維持するレディモードとを有し、所定の前記遠隔操作装置から自己および前記所定の遠隔操作装置の識別符号および自己を選択する旨の情報を含む選択信号を受信した際に前記スタンバイモードから前記レディモードに移行することを特徴とする。
【００２１】
また、請求項５にかかる手術システムは、上記の発明において、前記駆動手段は、前記操作装置側交信手段から発信される出力信号を受信している間のみ動作し、該出力信号の受信の終了と共に動作を終了することを特徴とする。
【００２２】
また、請求項６にかかる手術システムは、上記の発明において、複数の前記携帯型処置装置をそれぞれ保持する複数の保持部と、該保持部近傍に配置され、前記保持部に保持された前記携帯型処置装置の識別符号を検知する符号検知部と、前記符号検知部が検知不能な識別符号を含む情報を前記遠隔操作装置側に送信する送信部とを有する保持装置をさらに備えたことを特徴とする。
【００２３】
また、請求項７にかかる手術システムは、上記の発明において、前記遠隔操作装置は、前記保持装置からの情報を受信し、該情報に基づいて選択可能な前記携帯型処理装置を認識することを特徴とする。
【００２４】
また、請求項８にかかる手術システムは、上記の発明において、前記電源手段は、異なる前記携帯型処置装置における使用が可能であると共に異なる前記携帯型処置装置に対して着脱可能な構造を有し、前記遠隔操作装置は、前記駆動手段が接続された前記携帯型処置装置のみを選択可能であることを特徴とする。
【００２５】
また、請求項９にかかる手術システムは、上記の発明において、前記遠隔操作装置は、複数の前記入力手段を備え、該複数の入力手段と、前記携帯型処置装置における動作との対応関係を前記遠隔操作装置側で決定することを特徴とする。
【００２６】
また、請求項１０にかかる手術システムは、上記の発明において、複数の前記携帯型処置装置の動作と前記複数の入力手段との対応関係は、異なる前記携帯型処置装置の動作のうち、共通性を有する動作に関して同一の前記入力手段に対応するよう決定されることを特徴とする。
【発明の効果】
【００２７】
本発明にかかる手術システムは、携帯型処置装置と遠隔操作装置との間で無線交信を行う構成としたため、信号伝送用のワイヤ等が不要となると共に、滅菌の際に損傷する接続部を省略した構造とすることができるという効果を奏する。また、ハンドピースが処置部材以外についてケース部材によって外部と電気的に絶縁される構成としたため、同時に複数のハンドピースを使用した場合であっても、電気的ループの形成による高周波電流または低周波電流の漏電の発生を防止できるという効果を奏する。
【発明を実施するための最良の形態】
【００２８】
以下、図面を参照して、この発明の実施の形態である手術システムについて説明する。図面は模式的なものであり、各部分の厚みと幅との関係、それぞれの部分の厚みの比率などは現実のものとは異なることに留意すべきであり、図面の相互間においても互いの寸法の関係や比率が異なる部分が含まれていることはもちろんである。さらに、符号に付くａ、ｂ等の識別文字は必要に応じて付けるものとし、“フットスイッチ１ａ、１ｂ”のように複数の同一部分が存在する場合には、必要に応じて“フットスイッチ１”と総称して記述する。
【００２９】
（実施の形態１）
まず、この発明の実施の形態１にかかる手術システムについて説明する。図１は、実施の形態１にかかる手術システムの構成を示す模式図である。図１に示すように、実施の形態１にかかる手術システムは、遠隔操作装置たるフットスイッチ１と、携帯型処置具たるハンドピース２とを複数備えた構造を有する。図１ではそれぞれフットスイッチ１と、ハンドピース２とを２個ずつ備えた構成について示すが、それぞれの個数に限定が無いことはもちろんである。
【００３０】
フットスイッチ１は、ハンドピース２の動作を制御するためのものである。具体的には、フットスイッチ１は、入力ペダル３、４と、入力ペダル３、４で入力された情報等を処理する制御部５と、制御部５から得られた内容の情報に基づいて無線交信を行う送受信部６と、制御部５および送受信部６に駆動エネルギーを供給する電源部７とを有する。さらに、フットスイッチ１は、交信対象たるハンドピース２のＩＤを記憶し、制御部５に対して入出力可能なハンドピースＩＤ記憶部８と、自己のＩＤを記憶し、制御部５に出力可能な自己ＩＤ記憶部９と、制御対象をハンドピース２ａ、２ｂの中から選択するための切替スイッチ１０とを備える。
【００３１】
入力ペダル３、４は、選択したハンドピース２の動作内容を決定するためのものである。入力動作の態様はいかなる構造とすることも可能であるが、本実施の形態においては入力ペダル３、４のいずれかを使用者が足で踏むことによってハンドピース２の動作内容が決定されることとする。
【００３２】
送受信部６は、ハンドピース２との間で無線交信を行うためのものである。送受信部６は、ハンドピース２から受信した情報を制御部５に伝達する一方、制御部５からの情報をハンドピース２に対して発信する機能を有する。
【００３３】
ハンドピースＩＤ記憶部８は、交信対象たるハンドピース２のＩＤを記憶するためのものである。ハンドピースＩＤ記憶部８は、あらかじめ定められたハンドピース２のＩＤのみを記憶した書き換え不可能なメモリ等によって構成されても良いが、本実施の形態１ではデータ書き換え可能な構造を有するものとする。
【００３４】
自己ＩＤ記憶部９は、フットスイッチ１自身のＩＤを記憶するためのものである。フットスイッチ１ａ、１ｂはそれぞれ個別のＩＤが割り当てられており、自己ＩＤ記憶部９は、それぞれに割り当てられたＩＤを記憶している。かかるＩＤについては書き換えの必要がないことから、自己ＩＤ記憶部９は、書き換え不可能なメモリ等を備えることが好ましい。
【００３５】
なお、以下の説明ではフットスイッチ１ａのＩＤを“ＩＤ［ＦＳＷ１ａ］”とし、フットスイッチ１ｂのＩＤを“ＩＤ［ＦＳＷ１ｂ］”とする。また、任意のフットスイッチのＩＤを称する際には“ＩＤ［ＦＳＷＸ］として説明を行う。
【００３６】
また、制御部５は、入力ペダル３、４、ハンドピースＩＤ記憶部８、自己ＩＤ記憶部９ｂからの情報に基づいて送受信部６の発信情報の内容を決定すると共に、送受信部６で受信した情報の解析を行うためのものである。かかる制御部５の機能については、後に詳細に説明する。
【００３７】
次に、ハンドピース２の構成について説明する。ハンドピース２は、無線交信を介したフットスイッチ１からの制御を受けて患部に対して所定の動作を行うためのものである。具体的には、ハンドピース２は、患部に対して物理的作用を施す処置部材１２と、処置部材１２に駆動エネルギーを供給する駆動部１３と、駆動部１３の状態等を制御する制御部１４と、フットスイッチ１との無線交信を行う送受信部１５と、駆動部１３、制御部１４および送受信部１５に対して駆動エネルギーを供給する電源部１６を有する。また、ハンドピース２は、交信対象であるフットスイッチ１のＩＤを記憶し、制御部１４に対して入出力可能なフットスイッチＩＤ記憶部１７と、自己のＩＤを記憶し、制御部１４に出力可能な自己ＩＤ記憶部１８とを有する。さらに、ハンドピース２は、処置部材１２以外の上記要素を内部に包含するケース部材１９を有する。
【００３８】
処置部材１２は、患部に対して直接的に作用を施すためのものである。処置部材１２の具体的な構造はハンドピース２に持たせる機能によって異なるものとなる。例えば、ハンドピース２が電気メスとして用いられる場合には、処置部材１２はモノポーラ電極またはバイポーラ電極を先端部に有し、かかる電極から供給される高周波電流によって患部を加熱、切断する構造を有する。また、超音波ハンドピースの場合には、超音波振動子と、超音波振動子によって得られた振動を先端部に伝えるためのプローブとを備えた構造を有する。
【００３９】
駆動部１３は、処置部材１２に対して駆動エネルギーを供給するためのものである。なお、駆動部１３の構造および出力する駆動エネルギーの値等は処置部材１２の構造に対応して異なるものとなる。
【００４０】
制御部１４は、フットスイッチ１との交信によって得られた内容に基づいて駆動部１３を制御する。具体的には、フットスイッチ１で決定された動作内容を駆動部１３に伝達し、駆動部１３は動作内容に対応した駆動エネルギーを処置部材１２に対して供給する。また、制御部１４は、送受信部１５で受信された交信内容が自己に向けたものなのか否かおよび正しいフットスイッチから発信されたものなのか否か等の判断も行う。かかる機能については後に詳しく説明する。
【００４１】
送受信部１５は、フットスイッチ１との間で無線交信を行うためのものである。具体的には、送受信部１５は、フットスイッチ１から受信した情報を制御部１４に伝達する一方、制御部１４からの情報をフットスイッチ１へ発信する機能を有する。
【００４２】
フットスイッチＩＤ記憶部１７は、交信対象であるフットスイッチ１のＩＤを記憶するためのものである。フットスイッチＩＤ記憶部１７は、ハンドピースＩＤ記憶部８と同様にあらかじめ与えられた内容を記憶する書き換え不可能なメモリ等によって構成されても良いが、本実施の形態１ではデータ書き換え可能なものを有することとする。
【００４３】
自己ＩＤ記憶部１８は、ハンドピース２自身のＩＤを記憶するためのものである。かかるＩＤは書き換えの必要がないことから、自己ＩＤ記憶部１８は書き換え不可能なメモリ等を備えた構造とすることが好ましい。なお、以下の説明ではハンドピース２ａのＩＤを“ＩＤ［ＨＰ２ａ］”とし、ハンドピース２ｂのＩＤを“ＩＤ［ＨＰ２ｂ］”とする。また、任意のハンドピースのＩＤを称する際には“ＩＤ［ＨＰＹ］”として説明を行う。
【００４４】
ケース部材１９は、駆動部１３〜電源部１６等の電子機器を外部から電気的に遮蔽するためのものである。具体的には、ケース部材１９は、絶縁性プラスチック等によって形成され、駆動部１３等を内部に包含する構造を有する。なお、後述する理由により、ケース部材１９はハンドピース２を使って患部に処置を行う際に電気的遮蔽効果を発揮すれば十分であり、不使用時には遮蔽しない構造であっても良い。
【００４５】
次に、本実施の形態１にかかる手術システムの動作について説明する。本実施の形態１にかかる手術システムは、上記のようにフットスイッチおよびハンドピースを複数備え、相互間において無線交信によって制御が行われる構造を有する。従って、例えば一方のハンドピースを動作させたいにも関わらず他方のハンドピースが動作するといった事態を生じる可能性があり、かかる事態の発生を防止する機構が必要となる。そこで、本実施の形態１にかかる手術システムでは、個々のフットスイッチ、ハンドピース毎に異なるＩＤを割り当てることによって誤動作を防止している。以下では、誤動作を防止する前提として無線交信の相手方のＩＤを登録するプロセスについて説明した後、自己および交信相手のＩＤを含む無線交信による動作について説明し、誤動作が防止されることを示す。
【００４６】
まず、フットスイッチ１およびハンドピース２において無線交信の相手方のＩＤを登録するプロセスについて説明する。図２は、無線交信の相手方のＩＤを登録するプロセスを示すフローチャートであり、以下では図２を参照しつつ説明する。
【００４７】
まず、フットスイッチ１は、送受信部６から自己のＩＤである“ＩＤ［ＦＳＷＸ］”を発信する（ステップＳ１０１）。ハンドピース２は、駆動部１３がオフ状態である一方、送受信部１５がオン状態となるスタンバイモードとなっており、かかるフットスイッチ１から発信した情報を送受信部１５で受信して、制御部１４に伝達する（ステップＳ１０２）。
【００４８】
そして、ハンドピース２において、制御部１４は、受信した“ＩＤ［ＦＳＷＸ］”が特定のフットスイッチのＩＤであることを認識した上で、登録するか否かを判定する（ステップＳ１０３）。登録しないと判定した場合、ＩＤを受信したフットスイッチ１の登録は行わず、後述のステップＳ１１４に移行する。一方、登録すると判定した場合には、制御部１４は、フットスイッチＩＤ記憶部１７に“ＩＤ［ＦＳＷＸ］”を記憶させる（ステップＳ１０４）。
【００４９】
その後、ハンドピース２の制御部１４は、自己のＩＤである“ＩＤ［ＨＰＹ］”と、受信した“ＩＤ［ＦＳＷＸ］”とを含むデータを生成し、送受信部１５から発信する（ステップＳ１０５）。
【００５０】
その後、ステップＳ１０５で発信された情報はフットスイッチ１側の送受信部６によって受信され、受信された情報の中に自己のＩＤである“ＩＤ［ＦＳＷＸ］”が含まれているか否かが制御部５によって判定される（ステップＳ１０６）。自己のＩＤに関する情報が含まれていない場合にはハンドピース２での登録が失敗したものと判断して、再びステップＳ１０１に戻って自己のＩＤを発信する。一方、自己のＩＤに関する情報が含まれていると判定された場合には、ステップＳ１０７に移行する。
【００５１】
そして、制御部５は、自己のＩＤに関する情報と共に受信した“ＩＤ［ＨＰＹ］”を認識し、“ＩＤ［ＨＰＹ］”を登録するか否かを判定する（ステップＳ１０７）。登録しないと判定した場合には、後述のステップＳ１１１に移行する。一方、登録すると判定した場合にはステップＳ１０８に移行する。
【００５２】
その後、制御部５は、受信した“ＩＤ［ＨＰＹ］”をハンドピースＩＤ記憶部８に転送し、記憶させる（ステップＳ１０９）。そして、制御部５は、自己のＩＤである“ＩＤ［ＦＳＷＸ］”と、記憶したハンドピース２のＩＤである“ＩＤ［ＨＰＹ］”とを含む“ＩＤ［ＦＳＷＸ］＋ＩＤ［ＨＰＹ］＋received”なるデータを生成し、発信する（ステップＳ１０９）。かかるデータは、フットスイッチ１がハンドピースのＩＤを取得し、登録を行った旨をハンドピース２側に通知するためのものである。
【００５３】
以上で、フットスイッチ１側の“ＩＤ［ＨＰＹ］”に関する登録作業は完了し（ステップＳ１１０）、複数存在するすべてのハンドピースについて登録が完了したか否かの判定を行う（ステップＳ１１１）。すべての必要なハンドピース２の登録が未完了であれば再びステップＳ１０１に戻ってＩＤを発信し、完了していればすべての処理を終了する。
【００５４】
一方、ハンドピース２は、ステップＳ１０９におけるフットスイッチ１からの“ＩＤ［ＦＳＷＸ］＋ＩＤ［ＨＰＹ］＋received”を送受信部１５にて受信し、自己のＩＤが含まれるか否かを判定する（ステップＳ１１２）。自己のＩＤが含まれていないと判定した場合にはステップＳ１０５に戻り、再び自己ＩＤおよびステップＳ１０２で受信したフットスイッチ１のＩＤを発信する。自己のＩＤが含まれていると判定した場合には、フットスイッチ１側で自己のＩＤが登録されたものと判断し、“ＩＤ［ＦＳＷＸ］”に関する登録作業を完了する（ステップＳ１１３）。
【００５５】
そして、複数存在するうち必要なすべてのフットスイッチ１のＩＤ登録が完了したか否かを判定する（ステップＳ１１４）。完了していない場合には再びステップＳ１０２に戻って他のフットスイッチ１からの発信情報を受信する態勢をとり、完了した場合にはすべての処理を終了する。
【００５６】
以上のプロセスを経ることによってフットスイッチ１のハンドピースＩＤ記憶部８およびハンドピース２のフットスイッチＩＤ記憶部１７に登録対象である無線交信の相手方のＩＤが記憶される。かかるＩＤは、以下に説明する無線交信による動作プロセスにおいて重要な役割を果たす。
【００５７】
次に、ＩＤ登録が行われたフットスイッチ１とハンドピース２との間の無線交信によってハンドピース２を動作させるプロセスについて説明する。図３は、無線交信を用いた動作プロセスを説明するためのフローチャートであって、以下では図３を参照して説明を行う。
【００５８】
まず、フットスイッチ１の切替スイッチ１０によって使用するハンドピース２を選択する（ステップＳ２０１）。ここで、選択したハンドピース２は、フットスイッチ１のハンドピースＩＤ記憶部８にＩＤが登録されているものとする。一方、この時点ですべての使用可能なすべてのハンドピース２は、駆動部１３がオフ状態であり、送受信部１５がオン状態であるスタンバイ状態となっている（ステップＳ２０２）。
【００５９】
そして、フットスイッチ１の制御部５は、自己の“ＩＤ［ＦＳＷＸ］”と、選択したハンドピース２の“ＩＤ［ＨＰＹ］”とに基づいて、“ＩＤ［ＦＳＷＸ］＋ＩＤ［ＨＰＹ］＋selected”を発信する（ステップＳ２０３）。かかるデータは、“ＩＤ［ＦＳＷＸ］”を備えたフットスイッチ１が、“ＩＤ［ＨＰＹ］”を備えたハンドピースを選択（select）した旨を意味する。
【００６０】
その後、複数のハンドピース２は、それぞれステップＳ２０３で発信された情報を受信し、受信したデータの中に自己のＩＤに関する情報が含まれるかを判定する（ステップＳ２０４）。自己のＩＤに関する情報が含まれない場合は、フットスイッチ１は自己を使用するのではないと判断して再びステップＳ２０２に戻ってスタンバイモードを維持する。一方、自己のＩＤが含まれていると判定した場合には、送受信部１５および駆動部１３をオンしたレディモードに移行し、以降のフットスイッチ１の指示を待つ（ステップＳ２０５）。
【００６１】
その後、フットスイッチ１において、選択したハンドピース２に行わせる動作を入力ペダル３、４によって決定する（ステップＳ２０６）。具体的には、入力ペダル３、４にはハンドピース２ごとに定められた処置が割り当てられており、入力ペダル３、４のいずれかを選択することによって、ハンドピース２の動作内容が決定される。
【００６２】
そして、フットスイッチ１は、自己のＩＤである“ＩＤ［ＦＳＷＸ］”と、選択したハンドピース２のＩＤである“ＩＤ［ＨＰＹ］”と、ステップＳ２０６で選択した動作内容に対応した“output”とを含む“ＩＤ［ＦＳＷＸ］＋ＩＤ［ＨＰＹ］＋output”を発信する（ステップＳ２０７）。その後、フットスイッチ１は、入力ペダル３および入力ペダル４の選択が解除されたか判定し（ステップＳ２０８）、入力ペダル３または入力ペダル４が選択されている間はステップＳ２０７に戻って発信動作を継続する。
【００６３】
そして、ハンドピース２は、ステップＳ２０７で発信された情報を受信し、受信したデータの中にステップＳ２０４で受信した“ＩＤ［ＦＳＷＸ］”と自己のＩＤである“ＩＤ［ＨＰＹ］”に関する情報が含まれるか否かを判定する（ステップＳ２０９）。“ＩＤ［ＦＳＷＸ］”と“ＩＤ［ＨＰＹ］”とが含まれない場合や、他のフットスイッチまたはハンドピースのＩＤに関する情報が含まれる場合には、次のステップに移行せずにレディモードを維持する。
【００６４】
一方、ステップＳ２０４で受信したフットスイッチ１のＩＤおよび自己のＩＤが含まれていると判定された場合、ハンドピース２は、受信したデータに含まれる“output”に対応した動作を行う（ステップＳ２１０）。なお、ステップＳ２０７、Ｓ２０８に関して説明したように、フットスイッチ１は、ペダル選択が解除されるまでは発信動作を継続する。このため、ハンドピース２は、実際にはステップＳ２０９、Ｓ２１０の動作を繰り返し行い、結果としてフットスイッチ１の発信動作が継続している間は、“output”に対応した動作を継続することとなる。
【００６５】
そして、ステップＳ２０８において入力ペダルの選択が解除されたと判定された場合、フットスイッチ１は、“ＩＤ［ＦＳＷＸ］＋ＩＤ［ＨＰＹ］＋output”の発信を停止する（ステップＳ２１１）。従って、ハンドピース２は、データの受信が終了し、outputに対応した動作を停止する（Ｓ２１２）。以上で、フットスイッチ１の制御によるハンドピース２の動作が完了する。
【００６６】
次に、本実施の形態１にかかる手術システムの利点について説明する。本実施の形態１にかかる手術システムは、フットスイッチ１とハンドピース２との間の情報の伝達を無線交信によって行っている。まずは、かかる無線交信を用いたことによる利点について説明する。
【００６７】
近年の外科手術では複数のフットスイッチおよび複数のハンドピースを同時に使用することがある。従って、従来構造の手術装置では、フットスイッチと本体装置、本体装置とハンドピースとの間を接続するためのワイヤが多数必要であった。本実施の形態１ではフットスイッチとハンドピースとの間で無線交信によって情報伝達を行うこととしたため、かかるワイヤを配置する必要が無く、操作の自由度が向上し、他の医療機器の搬入が容易になる等の利点を有する。
【００６８】
また、ワイヤを介した情報伝達を行う場合と異なり、ハンドピース側にワイヤ接続用の金属端子を設ける必要がない。従って、ハンドピースの滅菌処理の際に露出した金属端子が腐食等することはなく、腐食等を避けるための構造上の工夫も不要となる。従って、製品寿命が長期化すると共に、設計、製造上のコストの向上を抑制することができる。
【００６９】
さらに、無線交信と共に、ハンドピース２に関して、ケース部材１９が駆動部１３等を内包し、処置部材１２を除く外部との電気的接触を遮断した構造とすることによる利点も存在する。既に説明したように、従来の手術装置において複数のハンドピースを用いることとした場合、ハンドピース間、ハンドピースに接続された本体装置および本体装置のコンセントを介した地面との間で電気的なループが発生し、ハンドピース間に位置する患者の体内を高周波電流および低周波電流が流れることによる危険性が存在した。このため、従来の手術装置では、安全対策上の観点から本体装置内部にトランス回路を設けて、上記の電気的ループの発生を抑制する必要があった。
【００７０】
しかし、本実施の形態１にかかる手術システムでは、駆動部１３等を絶縁性のケース部材１９によって内包される構造としている。従って、複数のハンドピース２を同時に使用する場合であっても、複数のハンドピース２間に電気的なループが生じることはなく、複数のハンドピースの処置部材間で高周波電流および低周波電流が流れることはない。従って、本実施の形態１にかかる手術システムは従来よりも安全上の観点において優れると共に、トランス回路を省略できる点で製造コスト面でも優れるという利点を有する。
【００７１】
また、本実施の形態１にかかる手術システムは、複数のフットスイッチおよびハンドピースに対して識別符号たるＩＤを割り当て、フットスイッチから発信するデータの中に自己のＩＤおよび選択したハンドピースのＩＤを必ず含めることとしている。そして、フットスイッチからの発信データを受信したハンドピースは、受信データの中に自身のＩＤが含まれない限り動作しないこととしているため、誤動作の発生を防止することができる。
【００７２】
このことは、他の医療機器等に対する関係でも同様である。すなわち、現実の医療現場では本実施の形態１にかかる手術システム以外にも様々な医療機器が搬入されており、それらの動作に伴い手術室内には様々な電波が行き交った状態となっている。本実施の形態１にかかる手術システムでは、ハンドピース２は、所定のＩＤが含まれた無線信号にのみ反応して動作するため、これら他の医療機器から発生する電波によって誤動作を生じることもない。また、同様の理由で携帯電話等の電波によってハンドピース２が誤動作することについても防止できる。
【００７３】
さらに、本実施の形態１にかかる手術システムは、ステップＳ２０４において自己のＩＤが含まれていないと判断した場合、駆動部１３がオフとなるスタンバイモードを維持することとしている。従って、ステップＳ２０９において誤認識が生じた場合であっても、駆動部１３がオンしない限りoutputに従った動作を行うことは不可能となり、二重の危険防止策が採られている。さらに、ステップＳ２０４でスタンバイモードが維持される結果、使用しないハンドピース２に関しては電源部１６から駆動部１３に対して駆動エネルギーを供給されないこととなるため、消費電力の点でも利点を有する。
【００７４】
また、本実施の形態１にかかる手術システムは、図３のステップＳ２０７〜Ｓ２１２で示したように、フットスイッチ１からの無線交信の受信が継続する限りハンドピース２が動作することとし、フットスイッチ１からの発信が停止するとハンドピース２の動作が停止する構造としている。入力ペダルの選択を解除した時点で停止信号をフットスイッチ１からハンドピース２に対して発信する構造としなかったのは以下の理由である。
【００７５】
フットスイッチ１の制御によってハンドピース２を動作させる場合、フットスイッチ１およびハンドピース２が正常な状態を維持していれば停止信号によってハンドピース２の動作を停止させる構造としても特に問題は生じない。しかしながら、何らかの原因によって、ハンドピース２の動作が開始した後にフットスイッチ１とハンドピース２との無線交信が断絶状態となった場合には、停止信号を受信できず、ハンドピース２が動作し続けるという問題が生じる。従って、本実施の形態１にかかる手術システムでは“output“を受信している間のみハンドピース２が動作することとし、問題が生じて受信不能となった場合には速やかにハンドピース２の動作を終了させることとしている。これにより、ハンドピース２の動作が制御不能となることを防止できるという利点を有する。
【００７６】
また、本実施の形態１にかかる手術システムでは、フットスイッチ１におけるハンドピースＩＤ記憶部８、ハンドピース２におけるフットスイッチＩＤ記憶部１７のいずれもが書き換え可能なメモリ等を使用している。従って、手術システムにハンドピース２またはフットスイッチ１が新たに追加された場合であっても、図２に示すフローチャートに従ってＩＤの登録が可能となり、汎用性が向上するという利点を有する。
【００７７】
（実施の形態２）
次に、実施の形態２にかかる手術システムについて説明する。実施の形態２にかかる手術システムは、不使用のハンドピースを保持し、使用状態のハンドピースに関する情報をフットスイッチに伝達するハンドピースホルダ２１を備えた構造を有する。
【００７８】
図４−１は、本実施の形態２にかかる手術システムの使用状態を示す模式図であって、図４−２は、実施の形態２にかかる手術システムを構成するハンドピースホルダの内部構造を示すブロック図である。図４−１に示すように、フットスイッチ１と、ハンドピース２に加えて、さらにハンドピースホルダ２１を備えた構造を有する。なお、フットスイッチ１、ハンドピース２の構成、動作は以下で特に言及しない限り実施の形態１と同様のものとする。
【００７９】
ハンドピースホルダ２１は、不使用状態のハンドピース２を保持するための保持部材２３ａ〜２３ｄと、保持部材２３ａ〜２３ｄに保持されているハンドピース２のＩＤを読みとるＩＤ認識部２２ａ〜２２ｄとを備えた構造を有する。ＩＤ認識部２２ａ〜２２ｄは、例えばハンドピース２と無線交信を行うことによってＩＤに関する情報を得る構造としても良いが、本実施の形態２ではより簡易な構造として、ハンドピース２の表面上にバーコード等の識別シールを付し、ＩＤ認識部２２ａ〜２２ｄはかかる識別シールを読みとることによって保持されているハンドピース２のＩＤを認識することとする。なお、保持部材およびＩＤ認識部の個数は使用するハンドピース２の数によって決定されるため、４個に限定したものと解釈する必要はない。
【００８０】
ハンドピースホルダ２１の内部構造について図４−２を参照して説明する。図４−２に示すように、ハンドピースホルダ２１の内部にはＩＤ認識部２２ａ〜２２ｄからの情報が入力されるハンドピース有無判別部２４と、ハンドピース有無判別部２４からの情報を記憶する記憶部２５と、ハンドピース有無判別部２４からの情報をフットスイッチ１に対して送信する送信部２６とを有する。なお、本実施の形態２においてハンドピースホルダ２１とフットスイッチ１とは無線交信によって情報のやりとりを行うこととするが、ワイヤで接続された構造としても良い。
【００８１】
次に、本実施の形態２にかかる手術システムを構成するハンドピースホルダ２１の動作について説明する。図５は、ハンドピースホルダ２１の動作を示すフローチャートである。以下、図５を参照しつつハンドピースホルダ２１の動作について、フットスイッチ１との関係を中心に説明する。
【００８２】
まず、すべてのハンドピース２が保持された状態で、ハンドピースホルダ２１は、保持部材２３ａ〜２３ｄに保持されているハンドピース２のＩＤをＩＤ認識部２２ａ〜２２ｄによって認識した後、ハンドピース有無判別部２４を介して記憶部２５に入力し、認識したＩＤを記憶部２５に記憶する（ステップＳ３０１）。本ステップにより、ハンドピースホルダ２１では、使用される可能性のあるハンドピース２のＩＤをすべて認識したこととなる。
【００８３】
そして、一定時間経過後、保持部材２３ａ〜２３ｄに保持されているハンドピース２のＩＤをＩＤ認識部２２ａ〜２２ｄによって再び認識し（ステップＳ３０２）、ステップＳ３０２で新たに認識したデータと、ステップＳ３０１で記憶されたデータとを比較する（ステップＳ３０３）。具体的には、ステップＳ３０３では、ステップＳ３０１で認識したハンドピース２のＩＤと、ステップＳ３０２で認識したハンドピース２のＩＤとを比較し、ステップＳ３０１で認識したにもかかわらず、ステップＳ３０２で認識できなかったハンドピース２のＩＤに関する情報である差分データを生成する。
【００８４】
その後、ハンドピースホルダ２１は、生成した差分データを送信する（ステップＳ３０４）。フットスイッチ１は、差分データを受信し、差分データに基づいて使用可能なハンドピース２を認識する（ステップＳ３０５）。
【００８５】
上記のように、差分データに含まれるハンドピース２のＩＤは、初期状態において認識されたにもかかわらず、一定時間経過したステップＳ３０２において認識されなかったものである。ＩＤ認識部２２は、保持部材２３に保持されたハンドピース２のＩＤを認識することから、差分データに含まれるＩＤは、保持部材２３による保持状態を脱したハンドピース、すなわち使用者がハンドピースホルダ２１から取り出したハンドピースに対応することとなる。従って、ステップＳ３０４で送信される差分データは、使用者が取り出したハンドピースのＩＤを情報として含むこととなる。
【００８６】
このため、例えば同時に単一のハンドピース２を使用するケースであれば、使用するハンドピース２のＩＤの認識を自動的に行うことが可能である。すなわち、使用するハンドピース２をハンドピースホルダ２１から外すことによってハンドピースホルダ２１からＩＤに関する情報がフットスイッチ１に伝達されることから、フットスイッチ１は、切替スイッチ１０による選択を行わずに制御対象となるハンドピース２を認識することができる。
【００８７】
また、同時に複数のハンドピースを使用する場合であっても、切替スイッチ１０による切替の対象がハンドピースホルダ２１から外されたハンドピース２に限定されるという利点を有する。選択候補の数が減少することによって、使用者の選択誤りの可能性を低減することができる。例えば、フットスイッチ１は、ハンドピースホルダ２１から得たデータに含まれないハンドピース２のＩＤを発信データに含めることができない構造を採用すると良い。かかる構成とすることで、切替スイッチ１０で誤ったハンドピース２を選択した場合であっても誤動作が生じることを防ぐことができる。
【００８８】
（実施の形態３）
次に、実施の形態３にかかる手術システムについて説明する。本実施の形態３にかかる手術システムは、ハンドピースの構造として、電源部がハンドピース本体から着脱可能な構造を有し、かつ使用者が選択したハンドピースにのみ電源部を接続する構成としている。なお、本実施の形態３において、ハンドピース以外の構成要素に関しては以下で特に言及しない限り実施の形態１または実施の形態２と同様の構造を有し、同様の機能を果たすものとする。
【００８９】
図６は、本実施の形態３にかかる手術システムを構成するハンドピース２８の構造を示すブロック図である。図６に示すように、ハンドピース２８は、実施の形態１または実施の形態２と異なり、ケース部材１９の外部に独立電源部２９を備えた構造を有し、ハンドピース２８に設けられた接続部３１と、独立電源部２９とは接続ワイヤ３０によって接続された構成を有する。接続ワイヤ３０と接続部３１との間は着脱可能な構造とし、独立電源部２９は、機能の異なる任意のハンドピース２８の電源部として使用可能な性能を有することとする。そして、本実施の形態３では、独立電源部２９は使用時において、実際に使用するハンドピース２８に対してのみ接続される構成とする。
【００９０】
また、本実施の形態３においては、ハンドピース２８は処置部材１２および接続部３１を除いてケース部材１９に覆われた構造を有し、独立電源部２９も接続ワイヤ３０との接続部分を除いて絶縁性のケース部材によって覆われた構造を有する。接続ワイヤ３０に関しても、ハンドピース２８および独立電源部２９との接続部分を除いて絶縁部材によって覆われた構造を有する。従って、使用時においては、ハンドピース２８等は処置部材１２を除いて外部とは電気的に接触することのない構造を有する。
【００９１】
さらに、本実施の形態３にかかる手術システムにおいて、独立電源部２９の個数は、ハンドピース２８の個数よりも少ないものとし、例えば、独立電源部２９は、同時に使用するハンドピース２８の数だけ備えることが好ましい。そして、実施の形態３にかかる手術システムでは、使用するハンドピース２８を切り替えるごとに独立電源部２９の接続先を切り替えて使用する。
【００９２】
次に、本実施の形態３にかかる手術システムの利点について説明する。まず、ハンドピース２８の外部に独立電源部２９を設ける構造としたことによる利点について説明する。
【００９３】
本実施の形態３にかかる手術システムは、独立電源部２９をハンドピース２８の外部に設けることで、独立電源部２９の設計自由度が拡大するという利点を有する。すなわち、ハンドピース２８は、使用者が携帯可能な構造とする必要があるため、ハンドピース２８内に電源部を設けた場合には重量および大きさが制限される。しかし、本実施の形態３のように独立電源部２９を外部に設けることによって、かかる制限を気にすることなく独立電源部２９を設計することが可能であり、独立電源部２９として、例えば大容量の構造を使用することが可能である。
【００９４】
また、本実施の形態３にかかる手術システムでは、少なくとも使用時においては、ハンドピース２８と独立電源部２９とは接続ワイヤ３０を介して接続されている。従って、ハンドピース２８、独立電源部２９および接続ワイヤ３０を一体として考えた場合、処置部材１２以外の部分が外部と電気的に接続することはない。従って、実施の形態１の場合と同様に、複数のハンドピース２を使用した場合であってもハンドピース間で高周波電流または低周波電流が漏電することはなく、実施の形態１と同様に安全対策としてトランス回路を設ける必要がないという利点を有する。
【００９５】
また、独立電源部２９の個数を、同時に使用するハンドピース２８の個数と同数程度に限定することによる利点について説明する。かかる構成では、同時に使用するハンドピース２８の分だけ独立電源部２９を用意すれば足りるという消極的な利点のみならず、かかる個数に限定することによる積極的な利点も存在する。
【００９６】
ハンドピース２８は内部に電源部を備えず、接続ワイヤ３０を介して独立電源部２９と接続することによって初めて内部の送受信部１５等が動作可能となる。従って、本実施の形態３では、現実に動作させるハンドピース２８のみがフットスイッチ１からの発信データを受信することが可能である。このため、想定外のハンドピース２８がフットスイッチ１からの発信データを受信して誤動作することは無く、誤動作の発生確率をさらに低減することが可能である。従って、例えば同時に動作するハンドピース２８の個数を１とするシステムの場合には、複数のハンドピース２８の中から１個のハンドピースを選択する構成とした場合であっても、ハンドピース２８にＩＤを割り当てることなく誤動作の発生を防止することが可能となる。
【００９７】
なお、本実施の形態３では、接続ワイヤ３０を用いた構造を有することから、従来と同様にワイヤが多数存在することによって使用者等の室内移動や医療器具の搬入に対して影響を及ぼす懸念が存在する。本実施の形態３の場合にはかかる問題が発生しないことについて以下で説明する。
【００９８】
図７は、本実施の形態３にかかる手術システムの使用態様を示す図である。なお、図７の例では、同時に使用するハンドピース２８の数が１の場合について示している。図７に示すように、実際に使用するハンドピース２８ａのみが接続ワイヤ３０に接続されており、実施の形態３にかかる手術システムで必要となるワイヤの本数は１本のみである。さらに、本実施の形態３においてもフットスイッチ１とハンドピース２８との間の情報の伝達は無線交信によって行われることから手術室の床にワイヤを這わせる必要はなく、例えば独立電源部２９を点滴ポール３２に吊すことで、接続ワイヤ３０を空間上に配置した構成とすることが可能である。
【００９９】
従って、本実施の形態３においては、ワイヤの本数が従来に比較して少ないこと、ワイヤをフットスイッチ１に接続する必要がないことから床上に這わせたワイヤが存在しないこと等が理由となり、接続ワイヤ３０を使用するにもかかわらず、従来のような問題が存在することはない。
【０１００】
（実施の形態４）
次に、実施の形態４にかかる手術システムについて説明する。実施の形態４にかかる手術システムは、入力ペダルの機能の割り当てをフットスイッチ側で決定する構成を有する。従来の手術装置ではハンドピース側であらかじめ入力ペダルの割り当てが決定されていたのに対して、本実施の形態４にかかる手術システムでは使用者の好みや、複数のハンドピース間における動作の共通性に注目した入力ペダルの機能の割り当てが可能となる。
【０１０１】
図８は、本実施の形態４にかかる手術システムの構成を示すブロック図である。図８に示すように、本実施の形態４にかかる手術システムは、フットスイッチ３４と、ハンドピース３５とを備えた構成を有する。なお、本実施の形態４にかかる手術システムは、フットスイッチ３４および／またはハンドピース３５を複数備えた構成を前提とするが、図８では簡潔にそれぞれが単数の例を図示している。
【０１０２】
フットスイッチ３４は、入力ペダル３、４と、制御部５と、送受信部６と、電源部７と、ハンドピースＩＤ記憶部８と、自己ＩＤ記憶部９と、切替スイッチ１０を有する。これらの要素の構成、機能は実施の形態１〜３と同様であるため、本実施の形態４では説明を省略する。
【０１０３】
さらに、フットスイッチ３４は、ハンドピース動作記憶部３６と、入力ペダル機能割り当て記憶部３７とを備える。ハンドピース動作記憶部３６は、ＩＤが登録されたハンドピース３５で実行可能な動作を記憶するためのものであり、入力ペダル機能割り当て記憶部３７は、入力ペダルに割り当てられた機能を記憶するためのものである。
【０１０４】
本実施の形態４では、フットスイッチ３４に備わった制御部５は、入力ペダル３または入力ペダル４の選択と、入力ペダル機能割り当て記憶部３７に記憶した情報に基づいてハンドピース３５に対して"output"を決定する構成を有する。例えば、ハンドピース３５が超音波ハンドピースとしての機能を有する場合、ハンドピース３５は患部に対して切開または凝固の作用を施すことが可能である。かかる２通りの動作と入力ペダル３、４との対応関係が入力ペダル機能割り当て記憶部３７に記憶されており、制御部５は、かかる対応関係を参照しつつ送受信部６に指示を与え、所定の“output”を発信させている。
【０１０５】
一方、ハンドピース３５は、処置部材１２と、駆動部１３と、制御部１４と、送受信部１５と、電源部１６と、フットスイッチＩＤ記憶部１７との他に、動作記憶部３８を備えた構成を有する。動作記憶部３８は、処置部材１２によって可能な動作の内容を記憶するためのものである。
【０１０６】
次に、実施の形態４にかかる手術システムにおいて、フットスイッチ３４に設けられた入力ペダル３、４の機能の割り当てプロセスについて、ＩＤ登録作業に伴って行う例について説明する。以下では、フットスイッチ３４におけるハンドピース３５の登録の際に併せて入力ペダル３、４の機能の割り当てを行う例について説明する。なお、ハンドピース３５の登録プロセスについては実施の形態１とほぼ同様であるため、以下では簡潔に解説する。図９は、機能の割り当てプロセスを説明するためのフローチャートであって、以下図９を参照して説明を行う。
【０１０７】
まず、フットスイッチ３４は、自己のＩＤである“ＩＤ［ＦＳＷＸ］”を発信し（ステップＳ４０１）、ハンドピース３５によって受信される（ステップＳ４０２）。ハンドピース３５において“ＩＤ［ＦＳＷＸ］”を登録するか否かを判定し（ステップＳ４０３）、登録する場合にはフットスイッチＩＤ記憶部１７に“ＩＤ［ＦＳＷＸ］”を記憶する（ステップＳ４０４）。
【０１０８】
そして、ハンドピース３５は、自己のＩＤである“ＩＤ［ＨＰＹ］”と、登録した“ＩＤ［ＦＳＷＸ］”と、処置部材１２で可能な動作に関する情報“function１”、“function２”とを含むデータを制御部１４で生成し、発信する（ステップＳ４０５）。ここで、可能な動作に関する情報を２通りとしたのは、通常フットスイッチが有する入力ペダルの個数が２個であることに対応している。
【０１０９】
その後、ステップＳ４０５で発信されたデータがフットスイッチ３４で受信され、受信したデータの中に“ＩＤ［ＦＳＷＸ］”が含まれるか否かを判定し（ステップＳ４０６）、存在する場合には“ＩＤ［ＨＰＹ］”を登録するか否かを判定する（ステップＳ４０７）。そして、“ＩＤ［ＨＰＹ］”を登録すると判定した場合にはハンドピースＩＤ記憶部９に“ＩＤ［ＨＰＹ］”を記憶する（ステップＳ４０８）。
【０１１０】
そして、フットスイッチ３４は、登録したハンドピース３５が行う動作について、入力ペダル３、４への割り当てを行う。具体的には、ステップＳ４０５において発信された“function１”、“function２”に関する情報に基づいて、“function１”、“function２”と入力ペダル３、４との対応関係を決定する（ステップＳ４０９）。対応関係の決定手法としては、使用者の指示に従って決定することとしても良いし、後述する所定の条件に従って自動的に対応関係を決定することとしても良い。
【０１１１】
その後、フットスイッチ３４は、ステップＳ４０９で決定した対応関係を入力ペダル機能割り当て記憶部３７に記憶する（ステップＳ４１０）。具体的には、ハンドピースＩＤ記憶部８に記憶されるＩＤと、function１”、“function２”と入力ペダル３、４との対応関係とが関連づけられた状態で入力ペダル機能割り当て記憶部３７に記憶され、フットスイッチ３４の使用時には、動作対象となるハンドピース３５のＩＤに関連づけられた対応関係が入力ペダル機能割り当て記憶部３７から抽出される。
【０１１２】
以後のプロセスは実施の形態１で説明した登録プロセスと同様である。すなわち、フットスイッチ３４は、自己のＩＤである“ＩＤ［ＦＳＷＸ］”と、登録したハンドピース３５のＩＤである“ＩＤ［ＨＰＹ］”とに基づいて、“ＩＤ［ＦＳＷＸ］＋ＩＤ［ＨＰＹ］＋received”を発信し（ステップＳ４１１）、“ＩＤ［ＨＰＹ］”の登録を完了する（ステップＳ４１２）。そして、すべてのハンドピース３５のＩＤの登録およびハンドピース３５の機能の入力ペダルへの割り当てが完了したか否かを判定し（ステップＳ４１３）、完了していればフットスイッチ３４側のすべての処理を終了する。
【０１１３】
一方、ハンドピース３５は、ステップＳ４１１においてフットスイッチ３４から発信されたデータを受信し、受信したデータの中に“ＩＤ［ＨＰＹ］”に関する情報が含まれるか否かを判定し（ステップＳ４１４）、含まれている場合には“ＩＤ［ＦＳＷＸ］”の登録を完了する（ステップＳ４１５）。そして、すべてのフットスイッチ３４の登録が完了したか否かを判定し（ステップＳ４１６）、完了した場合はハンドピース３５側のすべての処理を終了する。以上の登録プロセスを経ることによって、ハンドピース３５側であらかじめ設定されていた入力ペダルとの対応関係をフットスイッチ３４側で設定し直すことが可能となる。従って、使用者の好み等に合わせた対応関係の構築が可能となり、入力ペダルの誤選択等の発生頻度を低減することが可能となる。
【０１１４】
次に、ステップＳ４０９における対応関係の決定条件の例について説明する。実施の形態４にかかる手術システムは、基本的に複数のハンドピース３５を備えた構成となっているが、複数のハンドピース３５の例として、例えば、超音波ハンドピース、電気メス等が存在する。これらのハンドピースは異なる機能を実現するものであるが、動作に一定の共通性を有することが知られている。その一方で、従来のハンドピース３５の動作と、フットスイッチ３４が備える入力ペダル３、４との対応関係はハンドピース３５側で個別に決定されているため、動作が共通性を有するにも関わらず、共通する動作が一方のハンドピースでは入力ペダル３と対応し、他方のハンドピースでは入力ペダル４と対応するといった事態が存在した。かかる相違に基づいて使用者が入力ペダルの誤選択を行うおそれがあるため、ハンドピース３５の動作と入力ペダル３、４との対応関係に共通性を持たせることが好ましい。
【０１１５】
複数のハンドピース３５の種類として、最大出力による切開動作と、最大出力未満の所定出力による切開動作が可能な電気メスと、切開動作と、患部を凝固させる凝固動作とが可能な超音波ハンドピースＡと、凝固動作と、送水動作が可能な超音波ハンドピースＢとを備えた手術システムを想定する。電気メスと超音波ハンドピースＡは、いずれも切開動作が可能な点で共通性を有する一方、超音波ハンドピースＡ、Ｂはいずれも凝固動作が可能な点で共通性を有する。従って、電気メス、超音波ハンドピースＡおよび超音波ハンドピースＢを備えた手術システムを構成する場合、かかる共通性を有する動作については、入力ペダル３、４への割り当てを統一することが好ましい。
【０１１６】
仮に電気メスに関して、最大出力の切開動作が入力ペダル３に対応づけられ、所定出力による切開動作が入力ペダル４に対応づけられているとする。かかる前提の下、超音波ハンドピースＡ、Ｂの動作と入力ペダル３、４との対応関係を決定する場合には、例えば超音波ハンドピースＡに関しては、切開動作を入力ペダル３に対応させ、凝固動作を入力ペダル４に対応させることが考えられる。そして、超音波ハンドピースＢに関しては、超音波ハンドピースＡと共通性を持たせる目的で凝固動作を入力ペダル４に対応させ、送水動作を入力ペダル３に対応させることが好ましい。かかる対応関係の決定により、少なくとも凝固動作に関しては同一の入力ペダル４によって動作させることとなるため、使用者が誤って入力ペダルを選択することを防止することができる。このように、複数の異なるハンドピースに関して、共通性を有する動作に関しては同一の入力ペダルと対応させることによって、使用者が入力ペダルを誤選択することを防止できる。上記以外の例としては、例えばハンドピースごとに実現する２通りの動作が、それぞれ単一の動作であって、処置部材１２の動作強度のみが相違する構造の場合、複数のハンドピースに関して、入力ペダル３を選択した場合に最大出力の動作を行い、入力ペダル４を選択した場合に設定出力の動作（例えば、最大出力の１／２）を行うこととしても良い。さらに、入力ペダルを踏む回数によって処置部材１２の動作強度が変化する場合、例えば入力ペダルを１回踏むと最大出力の２０％、２回踏むと最大出力の４０％、・・・となる場合には、かかる動作強度を調整する入力ペダルを入力ペダル３、４のいずれか一方に統一することとしても良い。
【０１１７】
さらに、本実施の形態４において、フットスイッチから発信する無線信号の内容をハンドピースごとに異なるものとしても良い。すなわち、フットスイッチから発信する無線信号のうち、“output”に対応する内容については、通常は入力ペダル３、４のいずれかに対応した信号を発信することとしている。そして、受信したハンドピース側に設けられた制御部によっていずれの入力ペダルに対応した信号であるかを解釈した上で、フットスイッチで選択された入力ペダルに対応する機能を実現するよう制御部から駆動部に指示を出すのが一般的である。しかしながら、実施の形態４では、“output”の内容をハンドピースごとに異ならせることによって、誤動作の発生を防止することとしても良い。ハンドピースごとに“output”の内容を異なることとした場合、フットスイッチ１が誤って選択したハンドピースと異なるハンドピースのＩＤを出力した場合であっても、間違ったハンドピースが解釈不能な“output”を受信することとなるため、間違ったハンドピースが動作することを防止することが可能となる。
【０１１８】
以上、実施の形態１〜４に渡って本発明を説明してきたが、本発明は上記のものに限定されず、当業者であれば様々な実施例、変形例および応用例に想到することが可能である。例えば、実施の形態１〜４について、遠隔操作装置の例としてフットスイッチを用いているが、入力ペダルを使用者が足で踏む構造以外の構造も可能である。また、入力ペダルの数についても単数でもよいし、３以上の複数としても良い。さらには、フットスイッチおよびハンドピースの機能ブロックについても、実施の形態１〜４で説明したものと異なる構成とすることも可能である。
【図面の簡単な説明】
【０１１９】
【図１】実施の形態１にかかる手術システムの構成を示すブロック図である。
【図２】実施の形態１にかかる手術システムにおいて、無線交信の相手方のＩＤを登録する際のフローチャートである。
【図３】実施の形態１にかかる手術システムの動作を説明するためのフローチャートである。
【図４−１】実施の形態２にかかる手術システムの構成を示すブロック図である。
【図４−２】実施の形態２にかかる手術システムを形成するハンドピースホルダの構成を示すブロック図である。
【図５】実施の形態２にかかる手術システムにおいて、ハンドピースホルダの動作とフットスイッチの動作との関係を示すフローチャートである。
【図６】実施の形態３にかかる手術システムを形成するハンドピースの構成を示すブロック図である。
【図７】実施の形態３にかかる手術システムにおいて、実際に使用される状態を示す模式図である。
【図８】実施の形態４にかかる手術システムの構成を示すブロック図である。
【図９】実施の形態４において、入力ペダルとハンドピースの動作との対応関係を決定するプロセスを示すフローチャートである。
【図１０−１】従来技術にかかる手術装置の構成を示す模式図である。
【図１０−２】他の従来技術にかかる手術装置の構成を示す模式図である。
【図１１】他の従来技術にかかる手術装置の構成を示す模式図である。
【符号の説明】
【０１２０】
１  フットスイッチ
２  ハンドピース
３、４  入力ペダル
５  制御部
６  送受信部
７  電源部
８  ハンドピースＩＤ記憶部
９  自己ＩＤ記憶部
１０  切替スイッチ
１２  処置部材
１３  駆動部
１４  制御部
１５  送受信部
１６  電源部
１７  フットスイッチＩＤ記憶部
１８  自己ＩＤ記憶部
１９  ケース部材
２１  ハンドピースホルダ
２２  ＩＤ認識部
２３  保持部材
２４  ハンドピース有無判別部
２５  記憶部
２６  送信部
２８  ハンドピース
２９  独立電源部
３０  接続ワイヤ
３１  接続部
３２  点滴ポール
３４  フットスイッチ
３５  ハンドピース
３６  ハンドピース動作記憶部
３７  入力ペダル機能割り当て記憶部
３８  動作記憶部
１０１  ハンドピース
１０２  ワイヤ
１０３  本体装置
１０４  ワイヤ
１０５  フットスイッチ
１０６、１０７  入力ペダル
１０８  ハンドピース
１０９  本体装置
１１０  フットスイッチ
１１１  電気的ループ
【図１】
2005287684.tif 000003
【図２】
2005287684.tif 000004
【図３】
2005287684.tif 000005
【図４−１】
2005287684.tif 000006
【図４−２】
2005287684.tif 000007
【図５】
2005287684.tif 000008
【図６】
2005287684.tif 000009
【図７】
2005287684.tif 000010
【図８】
2005287684.tif 000011
【図９】
2005287684.tif 000012
【図１０−１】
2005287684.tif 000013
【図１０−２】
2005287684.tif 000014
【図１１】
2005287684.tif 000015